(57)【特許請求の範囲】
【請求項１】
水溶性脂肪酸アルカリ塩を主成分として含むポリアルキレンテレフタレート容器用潤滑剤組成物において、前記組成物にさらに、ロジンのアルカリ塩および／またはロジン不均斉化物のアルカリ塩を含有せしめて、前記ポリアルキレンテレフタレート容器のストレスクラックを防止ないしは抑制することを特徴とする潤滑剤組成物。
【請求項２】
前記ロジンのアルカリ塩が生松脂からテレピン油を留去して得られるガムロジン、松根チップから溶剤抽出して得られるウッドロジン、または粗トール油から精密分留して得られるトールロジンのそれぞれアルカリ中和物質である請求項１の潤滑剤組成物。
【請求項３】
請求項２のアルカリ中和物質がアビエチン酸のアルカリ塩を主成分としてなる請求項２の潤滑剤組成物。
【請求項４】
請求項３のアルカリ中和物質が主成分としてのアビエチン酸アルカリ塩と、ネオアビエチン酸、デヒドロアビエチン酸、ピマール酸、イソピマール酸およびパラストリン酸の群から選択される有機酸アルカリ塩の一種または一種以上との混合物である請求項３の潤滑剤組成物。
【請求項５】
前記ロジン不均斉化物のアルカリ塩が生松脂からテレピン油を留去して得られるガムロジン、松根チップから溶剤抽出して得られるウッドロジン、または粗トール油から精密分留して得られるトールロジンを触媒共存下で加熱して得られる生成物のアルカリ中和物質である請求項１の潤滑剤組成物。
【請求項６】
請求項５のアルカリ中和物質がデヒドロアビエチン酸アルカリ塩およびジヒドロアビエチン酸アルカリ塩の混合物を主成分としてなる請求項５の潤滑剤組成物。
【請求項７】
請求項１のロジンアルカリ塩および／またはロジン不均斉化物アルカリ塩の含有量が組成物中の水溶性脂肪酸アルカリ塩１重量部に対して少なくとも０.1重量部である請求項１の潤滑剤組成物。
【請求項８】
請求項１のロジンアルカリ塩および／またはロジン不均斉化物アルカリ塩の含有量が組成物中の水溶性脂肪酸アルカリ塩１重量部に対して０.1〜１.5重量部である請求項１の潤滑剤組成物。
【請求項９】
前記水溶性脂肪酸アルカリ塩が炭素数８〜22の飽和または不飽和脂肪酸、これら脂肪酸のアルキル基を有するエーテルカルボン酸、またはこれら脂肪酸のアルキル基を有するエチレンオキシド付加エーテルカルボン酸のそれぞれ、ナトリウム塩、カリウム塩、アンモニウム塩またはアルカノールアミン塩の１種または複数種である請求項１の潤滑剤組成物。
【請求項１０】
請求項９の炭素数８〜22の飽和または不飽和脂肪酸がヤシ油脂肪酸、ラウリン酸、オレイン酸または牛脂脂肪酸である請求項９の潤滑剤組成物。
【発明の詳細な説明】
【０００１】
【産業上の利用分野】
本発明は、ポリアルキレンテレフタレート容器に例えば炭酸清涼飲料等を詰め込む工程におけるボトルコンベアの潤滑剤として利用される組成物に係り、特に、潤滑性を維持しながらポリアルキレンテレフタレート容器のストレスクラックを防止ないしは抑制し得るポリアルキレンテレフタレート容器用潤滑剤組成物に関する。
【０００２】
【従来の技術】
近年、炭酸清涼飲料等の炭酸水の容器として、ポリエチレンテレフタレート（ＰＥＴ）等からなるポリアルキレンテレフタレート容器（ＰＥＴボトル）が使用されている。さらに、これらの容器への前記炭酸水の充填工程等では、容器の移動のためにボトルコンベアが利用されている。
【０００３】
これらボトルコンベアは自動制御により連続運転されており、このためＰＥＴボトルの流れが停止されてもボトルコンベアのみがそのまま連続して運転されることになり、この場合にはＰＥＴボトルと、コンベア表面との動摩擦力を低下させる必要がある。また、洗浄機から運ばれてきたＰＥＴボトルをそのままボトルコンベアの流れに乗せるためにはコンベア表面に適当な静摩擦力も要求される。
【０００４】
これらの必要性を満たす潤滑剤として従来、水溶性脂肪酸アルカリ塩を主成分とし、これに必要に応じて、非イオン界面活性剤等、界面活性剤の含有された潤滑剤組成物が知られている。これは水で稀釈して、ボトルコンベア上に塗布等の手段により供給することにより使用に供されていた。
【０００５】
【発明が解決しようとする問題点】
しかし、これら潤滑剤は上述の要件を満たした潤滑性は保持するものの、ＰＥＴボトルに付着すると、ボトル内部が炭酸ガスにより加圧状態になっていて、ストレスがかかっているため、ＰＥＴボトルにストレスクラックを発生させてしまい、このため、ＰＥＴボトルはボトルの破損の危険性と、ボトル内部に充填された飲料液のリークの危険性を余儀なくされてしまう。
【０００６】
本出願人は上述の欠点を取り除いた発明として、水溶性脂肪酸アルカリ塩を主成分としてなる潤滑剤に特定の構造式を有するアルキルジフエニルエーテルジスルホン酸塩を含有せしめた潤滑剤組成物を既に開発し、特願平４−３５１５７９号先願として出願中である。
【０００７】
本発明は上述先願発明をさらに改良し、前述アルキルジフエニルエーテルジスルホン酸塩の代りに新しい有効成分を用いてなるものである。
【０００８】
すなわち、本発明の目的は、ＰＥＴボトルに例えば炭酸清涼飲料を詰め込む工程におけるボトルコンベアの潤滑剤として利用して潤滑性を維持しながらＰＥＴボトルのストレスクラックを防止ないしは抑制し得、前述の公知技術に存する欠点を改良したポリアルキレンテレフタレート容器用潤滑剤組成物を提供することにある。
【０００９】
【問題点を解決するための手段】
前述の目的を達成するため、本発明によれば、水溶性脂肪酸アルカリ塩を主成分として含むポリアルキレンテレフタレート容器用潤滑剤組成物において、前記組成物にさらに、ロジンのアルカリ塩および／またはロジン不均斉化物のアルカリ塩を含有せしめて、前記ポリアルキレンテレフタレート容器のストレスクラックを防止ないしは抑制することを特徴とする。
【００１０】
【発明の具体的説明】
以下、本発明を具体的に詳述する。
ＰＥＴ容器のボトルコンベアに使用される潤滑剤として、従来では上述のとおり、水溶性脂肪酸アルカリ塩を主成分とし、これに必要に応じて界面活性剤の含有された潤滑剤が用いられる。本発明の特徴はこのような公知の潤滑剤にロジンのアルカリ塩および／またはロジン不均斉化物のアルカリ塩を含有せしめたことに存する。
【００１１】
上述のロジンアルカリ塩は一般には、主成分としての樹脂酸をアルカリにより中和して得られるものである。これを具体的に詳述すると、前記樹脂酸としては、松樹中の生松脂からテレピン油を留去して得られるガムロジン、松根チップからベンゼン、アルコール等の溶剤によりロジン分を抽出の後、溶剤を留去して得られるウッドロジン、粗トール油から精密蒸留塔により減圧水蒸気蒸留して得られるトールロジン等である。これらの主成分はアビエチン酸であって、その他にネオアビエチン酸、デヒドロアビエチン酸、ピマール酸、イソピマール酸、パラストリン酸等の有機酸の一種または複数種を含有する。
【００１２】
さらに、上述のロジン不均斉化物アルカリ塩は前述のガムロジン、ウッドロジン、またはトールロジンを触媒共存下で加熱して得られる生成物のアルカリ中和物質であって、主成分がデヒドロアビエチン酸アルカリ塩およびジヒドロアビエチン酸アルカリ塩の混合物であり、具体的には、ハートールロジン（トールロジン）、バンデイス（不均斉化物）（いずれもハリマ化成（株）製）等のアルカリ中和物質が挙げられる。
【００１３】
本発明では、上述のロジンアルカリ塩およびロジン不均斉化物アルカリ塩はそれぞれ単独で、あるいは併用して用いられる。これらの含有量は組成物中の水溶性脂肪酸アルカリ塩１重量部に対して少なくとも０.1重量部、好ましくは０.1〜１.5重量部である。この量が０.1重量部より少ないと、ＰＥＴ容器に対するストレスクラックの防止ないしは抑制効果がやや不充分となり、また、１.5重量部、特に２重量部よりも多いと、潤滑性能が多少低下することも考えられる。
【００１４】
本発明に用いられる上述の水溶性脂肪酸アルカリ塩は通常の潤滑剤組成物に用いられる潤滑性能を発揮する物質であって、炭素数８〜22の飽和または不飽和脂肪酸、これら脂肪酸のアルキル基を有するエーテルカルボン酸またはこれら脂肪酸のアルキル基を有するエチレンオキシド付加エーテルカルボン酸のそれぞれ、ナトリウム塩、カリウム塩、アンモニウム塩、またはトリエタノールアミン等のアルカノールアミン塩である。上述の炭素数８〜22の飽和または不飽和脂肪酸は飽和脂肪酸を主成分とするヤシ油脂肪酸、ラウリン酸、不飽和脂肪酸を主成分とするオレイン酸、または飽和および不飽和脂肪酸の混合物である牛脂肪酸である。また、上述エチレンオキシドの付加は１〜８モル量が好ましい。この範囲でのエチレンオキシド付加エーテルカルボン酸は溶解性が向上され、硬水に対して影響を受けにくく、かつ潤滑性の低下もみられない。これらのアルカリ塩は本発明において、単独で、また複数種組み合わせて用いられる。
【００１５】
上述の本発明潤滑剤組成物はさらに、非イオン界面活性剤等の界面活性剤を含有してもよい。これはコンベア上に潤滑剤成分を均一に付着させたり、また、水溶性脂肪酸アルカリ塩中の不純分としての水不溶性成分によるコンベア上の汚れを除去するものである。この種の好ましい具体例としては、脂肪酸アルカノールアミド、ポリオキシエチレン脂肪酸エステル、多価アルコール脂肪酸エステル、ポリプロピレングリコールエチレンオキサイド付加物、ポリオキシエチレンアルキルエーテル、ポリオキシエチレンアルキルフエニルエーテル、プロピレンオキサイド・エチレンオキサイド共重合物等の非イオン界面活性剤が挙げられる。
【００１６】
この配合量は上述の利点を発揮させるに充分な任意の適当量であるが、好ましくは、前述の水溶性脂肪酸アルカリ塩１重量部に対して、0.２〜１重量部である。
【００１７】
このようにして得られる本発明にかかる潤滑剤組成物はｐＨ６〜10に調整し、かつ必要に応じてキレート剤、殺菌剤、可溶化剤、消泡剤等を添加、混合し、水で適宜の希釈倍数、例えば１00倍〜２00倍に希釈してボトルコンベア表面に塗布することにより使用に供される。
【００１８】
【作用】
上述の本発明にかかる潤滑剤組成物は水溶性脂肪酸アルカリ塩成分の作用により潤滑性を付与し、また、必要に応じて界面活性剤成分の作用により、コンベア上に潤滑剤成分を均一に付着し、かつ水溶性脂肪酸アルカリ塩に含まれる不純分としての水不溶性成分によりコンベア上の汚れを除去する。
【００１９】
一方、これらの成分はいずれも、ＰＥＴ容器へのストレスクラックの発生要因となる物質である。これに対して、本発明に用いられる上述のロジンのアルカリ塩やロジン不均斉化物のアルカリ塩はＰＥＴ材料のストレスクラックを未然に防止し得、このため、本発明にかかる潤滑剤組成物はボトルコンベアの潤滑性を維持しながら、ＰＥＴ容器のストレスクラックを防止ないしは抑制することができる。
【００２０】
【発明の実施例】
以下、本発明を実施例によりさらに具体的に述べる。
【００２１】
〔実施例〕
表１に示す各配合の試料１乃至18を純分換算で１00重量部に調整して供試試料とした。これら各供試試料についてストレスクラック試験ならびに潤滑性試験を行い、結果を同じく表１に示した。ストレスクラック試験および潤滑性試験は次のようにして行った。
【００２２】
〔ストレスクラック試験〕
ＰＥＴ容器に炭酸水を充填して4.０〜4.５ガスVol の圧力（容器容量の4.０〜4.５倍量の炭酸ガス圧力）に調整し、試験用ＰＥＴ容器とした。次いで、表１の各供試試料を水で１00倍に希釈し、この中に前述の試験用ＰＥＴ容器を半浸漬の状態で浸漬し、40℃、80％湿度の条件下に10日間放置した後、前記ＰＥＴ容器へのクラックの発生状態を目視観察して評価を行う。評価基準は次のとおりである。
Ａ：クラック発生が完全ないしはほとんどなし。
Ｂ：小さなクラックがわずかにあるが、ほとんどなしに等しい。
Ｃ：多少大きめのクラックが見受けられるが、実用可能。
Ｄ：大きめのクラックが多数あって、実用不可。
【００２３】
〔潤滑性試験〕
(1)テストコンベア条件
コンベア速度：30〜90cm／秒
テストボトル：上述の試験用ＰＥＴ容器１本（重量1610ｇ）
【００２４】
(2)試験方法
ステンレス製コンベアプレート上に試験用ＰＥＴ容器を置き、次いで、このコンベアプレート上に表１の各供試試料の１00倍または２00倍水希釈液をそれぞれ、25ml／分で供給したときの10分後の摩擦係数（μ）を測定し、各試料の潤滑性を評価する。
【００２５】
摩擦係数は算定式
【数１】
0003541056.tif 000002
を用いて計算する。
【００２６】
評価基準は次のとおりである。
Ａ：  0.12以下、非常に滑る。
Ｂ：  〜0.14    問題なく滑る
Ｃ：  〜0.16    潤滑不足
Ｄ：  0.16以上  滑らない
【００２７】
【表１】
0003541056.tif 000003
【００２８】
表１から明らかなように、ロジンアルカリ塩や、ロジン不均斉化物アルカリ塩を含まない試料NO.1〜３は、ストレスクラック評価が悪くて実用に供し得ない。これに対して、水溶性脂肪酸アルカリ塩１重量部に対して、ロジンアルカリ塩やロジン不均斉化物アルカリ塩が0.1 重量部以上添加された試料 No.６〜17、特に試料NO.6〜９、NO.11 〜17では、いずれも、ストレスクラック評価、潤滑性評価ともにＡ〜Ｂランクであり、良好な結果を示した。なお、ロジン不均斉化物アルカリ塩が０.1重量部以下の試料NO.4および５では、ストレスクラック評価がやや悪く、また、１.5重量部以上の試料NO.10 では潤滑性評価がやや悪いが、いずれも実用上は問題がない。
【００２９】
【発明の効果】
以上のとおり、本発明にかかる潤滑剤組成物は水溶性脂肪酸アルカリ塩を主成分とする潤滑剤組成物にさらに、ロジンアルカリ塩やロジン不均斉化物アルカリ塩を含有せしめることにより、潤滑性を維持しながらＰＥＴ容器のストレスクラックを防止ないしは抑制し得、したがって、ＰＥＴ容器に例えば、炭酸清涼飲料等を詰め込む工程におけるボトルコンベアの潤滑剤としての利用に最適であり、実用上有用な発明である。